(57)【特許請求の範囲】
【請求項１】
筐体内部に弾性的に吊支した外槽と、前記外槽内に回転自在に支持し洗濯物を収容する内槽と、前記外槽の上方開口側に配した略ドーナツ状の外槽カバーと、この外槽カバーの内方開口部を上開き方向に開閉する内蓋と、前記内槽内に乾燥用の温風を供給する温風供給手段とを備え、前記内蓋は、その把手部とは反対側を前記外槽カバーに軸支し、かつ前記内蓋の軸支側端面に水平方向に対向するように、前記外槽カバーにストッパーを設けた洗濯乾燥機。
【発明の詳細な説明】
【０００１】
【発明の属する技術分野】
本発明は、内槽内に温風を送風して洗濯物を乾燥させる行程を有し、洗濯から乾燥までを一貫して実施できる洗濯乾燥機に関するものである。
【０００２】
【従来の技術】
従来、この種の洗濯乾燥機は図８に示すように構成していた。以下、その構成について説明する。
【０００３】
図８に示すように、筐体１は、回転中心軸を略鉛直方向に有する外槽２をサスペンション３により懸垂防振支持している。外槽２の内部に多数の通気孔４ａを有する内槽４を回転自在に設け、この内槽４の中央底部に回転翼５を回転自在に設け、内槽４の上方に流体バランサー６を設けている。外槽２の下方にモータ７を設け、中空で二軸構造となった洗濯・脱水軸８、および洗濯または脱水時によって回転力の伝達を洗濯・脱水軸８に切り換えるクラッチ９を介して、内槽４または回転翼５に連結している。
【０００４】
乾燥用送風機１０は、ヒータ１１により加熱された温風を温風噴出口１２より内槽４内に送風するもので、筐体１の略上方に設けており、乾燥用送風機１０とヒータ１１とで温風供給手段を構成している。熱交換ダクト１３は、湿った温風の除湿を行うもので、一端を外槽２の排水経路口１４に接続した接続ダクト１５に接続し、他端を乾燥用送風機１０に接続している。
【０００５】
排水弁１６は、外槽２の底部に固定し、排水経路口１４と熱交換ダクト１３からの排水を排水ダクト１７を通して排水弁１６に導き、排水ホース１８から機外へ排水するように構成している。外槽カバー１９は外槽２の上面を気密的に覆うもので、この外槽カバー１９に内蓋２０を軸支部２１を基点に開閉自在に設け、衣類の出し入れを行うようにしている。内蓋２０には外槽カバー１９との軸支部２１と反対側に把手部２２を設けている。冷却用送風機２３は筐体１の内部に外部から冷却風を導入するもので、筐体１の側壁に設けている。また、筐体１の天面部には、衣類を投入するための投入口ガイド壁２４を設けている。
【０００６】
上記構成において動作を説明する。洗濯行程では、内槽４に衣類と洗剤を投入して水または湯を給水し、伝達機構部のクラッチ９を洗濯側に設定して、モータ７の動力を洗濯軸を介して回転翼５に伝達し、回転翼５を回転させて衣類を水中で撹拌して洗濯し、その後、排水弁１６を開いて排水し、すすぎ行程で再度給水し洗濯行程と同様にして衣類をすすぐ。
【０００７】
脱水行程では、すすぎ終了後、内槽４内の水を排水弁１６を開いて排水した後、伝達機構部のクラッチ９を脱水側に切り換えて、モータ７の動力を脱水軸を介し内槽４に伝達し、洗濯物に遠心力を与えることにより、水分を洗濯物から分離することで進行する。
【０００８】
乾燥行程では、まず、回転翼５を正逆転させることにより、脱水時の遠心力で内槽４の内壁に張り付いた衣類を引き剥がした後、回転翼５を瞬間的に正逆の方向に強力に回転させて、衣類を内槽４内で上方に放り上げるように撹拌する。同時に、乾燥用送風機１０とヒータ１１からなる温風供給手段により、温風を温風噴出口１２に送る。
【０００９】
温風噴出口１２より内槽４内に吹き込まれた温風は、衣類から水分を蒸発させた後、外槽２の下部に設けた排水経路口１４、接続ダクト１５、熱交換ダクト１３、乾燥用送風機１０、ヒータ１１、温風噴出口１２に導かれ循環する。衣類から水分を蒸発させた高温多湿空気は、外槽２および熱交換ダクト１３を通過する際に、冷却用送風機２３の送風により冷却されて除湿し、その後、再び、乾燥用送風機１０、ヒータ１１に戻ることになる。これにより、乾燥が進行する。
【００１０】
【発明が解決しようとする課題】
このような従来の構成では、内蓋２０を閉めずに脱水行程に進んだ場合、内槽内の衣類のアンバランスの度合いによっては、外槽２全体が左右、上下に大きく振れると同時に、内蓋２０も開閉方向に大きく振動する。このとき、内蓋２０の閉状態では当たるはずのない内蓋２０の把手部２２と筐体１の天面部の投入口ガイド壁２４が衝突する場合が生じ、内蓋２０と外槽カバー１９との軸支部２１に繰り返し衝撃が加わるため、軸支部２１の固定は不安定になり、内蓋２０の開閉時、内蓋２０ががたつくといった問題があった。
【００１１】
本発明は上記課題を解決するもので、内蓋の閉め忘れによって脱水行程中に内蓋の把手部と筐体の天面部の投入口ガイド壁が衝突する場合が生じても、内蓋と外槽カバーとの軸支部に繰り返し衝撃が加わらないよう内蓋を保持し、内蓋の軸支部の固定を安定させ、内蓋開閉時の使い勝手に支障を生じさせないようにすることを目的としている。
【００１２】
【課題を解決するための手段】
本発明は上記目的を達成するために、筐体内部に弾性的に吊支した外槽内に、洗濯物を収容する内槽を回転自在に支持し、外槽の上方開口側に略ドーナツ状の外槽カバーを配し、この外槽カバーの内方開口部を内蓋により上開き方向に開閉し、温風供給手段により内槽内に乾燥用の温風を供給するよう構成し、内蓋は、その把手部とは反対側を外槽カバーに軸支し、かつ内蓋の軸支側端面に水平方向に対向するように、外槽カバーにストッパーを設けたものである。
【００１３】
これにより、内蓋の閉め忘れによって脱水行程中に内蓋の把手部と筐体の天面部の投入口ガイド壁が衝突する場合が生じても、内蓋と外槽カバーとの軸支部に繰り返し衝撃が加わらないよう内蓋を保持することができて、内蓋の軸支部の固定を安定させることができ、内蓋開閉時の使い勝手に支障を生じさせないようにすることができる。
【００１４】
【発明の実施の形態】
本発明の請求項１に記載の発明は、筐体内部に弾性的に吊支した外槽と、前記外槽内に回転自在に支持し洗濯物を収容する内槽と、前記外槽の上方開口側に配した略ドーナツ状の外槽カバーと、この外槽カバーの内方開口部を上開き方向に開閉する内蓋と、前記内槽内に乾燥用の温風を供給する温風供給手段とを備え、前記内蓋は、その把手部とは反対側を前記外槽カバーに軸支し、かつ前記内蓋の軸支側端面に水平方向に対向するように、前記外槽カバーにストッパーを設けたものであり、内蓋の閉め忘れによって脱水行程中に内蓋の把手部と筐体の天面部の投入口ガイド壁が衝突する場合が生じても、外槽カバーに設けたストッパーにより内蓋が後方にずれようとする動きを抑止することができ、内蓋と外槽カバーとの軸支部に繰り返し衝撃が加わらないよう内蓋を保持することができて、内蓋の軸支部の固定を安定させることができ、内蓋開閉時の使い勝手に支障を生じさせないようにすることができる。
【００１５】
【実施例】
以下、本発明の一実施例について、図面を参照しながら説明する。なお、従来例と同じ構成のものは同一符号を付して説明を省略する。
【００１６】
図１および図２に示すように、外槽カバー２５は、略ドーナツ状に形成して、外槽２の上方開口側に配置し、図３に示すように、ステンレス鋼板などの金属材料部材２６とポリプロピレン樹脂などの樹脂材料部材２７とで構成し、内方開口部２８を設けて衣類を出し入れできるようにしている。
【００１７】
内蓋２９は、ステンレス鋼板などの金属材料部材３０を、ポリプロピレン樹脂などの樹脂材料部材３１にねじ締結し、内蓋２９の外周縁下面側にはパッキング部材３２を設けている。このパッキング部材３２は、変形していないときは細線で示した形状をしているが、内蓋２９を閉成した状態では、実線で示すように変形しながら外槽カバー２５の金属材料部材２６に当接し、内蓋２９と外槽カバー２５の間の気密を保つよう構成している。
【００１８】
また、樹脂材料部材３１の一端に、図４に示すように、内蓋２９の把手部３３を軸支し、把手部３３の中央内部に軸支される鉤手３４と外槽カバー２５に固定されるフック部３５とが引っ掛かり合うことで、内蓋２９の閉止させている。
【００１９】
内蓋２９の把手部３３の反対に位置する側の内蓋２９の軸支側に、図５および図６に示すように、金属部材３６を取り付け、この金属部材３６に金属製のシャフト３７の両端を貫通して支持し、外槽カバー２５にねじ固定された金属製の軸受け部材３８にシャフト３７の両端を内蓋２９の後方から挿入可能な切り欠き穴４０を設け、この切り欠き穴４０にシャフト３７を挿入することで、金属部材３６、シャフト３７および軸受け部材３８により蝶番を構成し、内蓋２９を上開き方向に開閉自在に軸支するとともに、シャフト３７に、つる巻き状の付勢ばね３９を取り付け、内蓋２９を常時開放方向に付勢している。
【００２０】
また、図３および図７に示すように、保持部材４３は折曲部４３ａを形成し、この折曲部４３ａによりシャフト３７の端面４１を支持するとともに、切り欠き穴４０近傍にてシャフト３７の後方を支持し、かつ付勢ばね３９の端面４２を覆うように設けていて、この保持部材４３、軸受け部材３８、および外槽カバー２５を挟み込むようにねじ４４と角ナット４５とを螺合締結している。
【００２１】
また、内蓋２９の軸支端面両側の近傍に水平方向に対向し、かつ内蓋２９に近接した位置に、外槽カバー２８から突出するストッパー４６を設けている。
【００２２】
上記構成において動作を説明する。なお、洗濯行程から乾燥行程までの基本的な動作は従来例と同じであるので説明を省略する。
【００２３】
内蓋２９を閉め忘れた状態、すなわち内蓋２９の把手部３３の中央内部に軸支される鉤手３４と外槽カバー２５に固定されるフック部３５とが引っ掛かり合っていない状態において脱水行程に進んだ場合、内槽４内の衣類のアンバランスの度合いによっては、外槽２全体が左右、上下に大きく振れると同時に、内蓋２９も開閉方向に大きく振動する。
【００２４】
このとき、内蓋２９の閉止状態では当たるはずのない内蓋２９の把手部３３と筐体１の天面部の投入口ガイド壁２４が衝突する場合が生じ、このときの繰り返し衝撃は、内蓋２９の軸支側のシャフト３７を軸受け部材３８の切り欠き穴４０の開放側に押しやる方向に働くが、同時に外槽カバーから突出するストッパー４６が内蓋２９の後方にずれようとする動きを抑止するため、シャフト３７の保持部材４３に加わる衝撃力は大きく緩和される。
【００２５】
このことにより、保持部材４３の衝撃力による変形がもたらすシャフト３７のがたの発生をなくすことから、内蓋２９の軸支部の固定を安定させることができ、内蓋２９の開閉時の使い勝手に支障を生じさせないようにすることができる。
【００２６】
【発明の効果】
以上のように本発明の請求項１に記載の発明によれば、筐体内部に弾性的に吊支した外槽と、前記外槽内に回転自在に支持し洗濯物を収容する内槽と、前記外槽の上方開口側に配した略ドーナツ状の外槽カバーと、この外槽カバーの内方開口部を上開き方向に開閉する内蓋と、前記内槽内に乾燥用の温風を供給する温風供給手段とを備え、前記内蓋は、その把手部とは反対側を前記外槽カバーに軸支し、かつ前記内蓋の軸支側端面に水平方向に対向するように前記外槽カバーにストッパーを設けたから、内蓋の閉め忘れによって脱水行程中に内蓋の把手部と筐体の天面部の投入口ガイド壁が衝突する場合が生じても、内蓋と外槽カバーとの軸支部に繰り返し衝撃が加わらないよう内蓋を保持することができて、内蓋の軸支部の固定を安定させることができ、内蓋開閉時の使い勝手に支障を生じさせないようにすることができる。
【図面の簡単な説明】
【図１】本発明の一実施例の洗濯乾燥機の内蓋を取り付けた外槽カバーの一部切欠した平面図
【図２】同洗濯乾燥機の縦断面図
【図３】同洗濯乾燥機の内蓋の軸支側のＡ−Ａ線断面図
【図４】同洗濯乾燥機の内蓋の把手部側のＢ−Ｂ線断面図
【図５】同洗濯乾燥機の内蓋の軸支側のＣ−Ｃ線断面図
【図６】同洗濯乾燥機の内蓋の一部切欠した平面図
【図７】同洗濯乾燥機の内蓋の軸支側のＤ部拡大平面図
【図８】従来の洗濯乾燥機の縦断面図
【符号の説明】
１  筐体
２  外槽
４  内槽
１０  乾燥用送風機（温風供給手段）
１１  ヒータ（温風供給手段）
２５  外槽カバー
２８  内方開口部
２９  内蓋
３３  把手部
３７  シャフト
４６  ストッパー
【図１】
0003744415.tif 000002
【図２】
0003744415.tif 000003
【図３】
0003744415.tif 000004
【図４】
0003744415.tif 000005
【図５】
0003744415.tif 000006
【図６】
0003744415.tif 000007
【図７】
0003744415.tif 000008
【図８】
0003744415.tif 000009